(57)【特許請求の範囲】
【請求項１】
水平面に載置されたときに上端面に開口が形成される容器であって；
前記水平面に安定的に接する底面部と、該底面部に連接して鉛直方向に伸びた筒状部とを有する座部であって、前記筒状部の水平断面における正面側の辺とこれに対向する辺とが他の４つの辺よりも長い略六角形に形成された座部と；
前記座部に連接して鉛直上方に伸びたくびれ部であって、正面視においてくびれが形成され、側面視においてくびれが形成されていないくびれ部と；
前記くびれ部に連接して鉛直上方に伸びた口頸部であって、水平断面が前記くびれ部から離れるに連れて楕円形から円形に収束する口頸部とを備え；
正面視において、前記くびれより上方の最大幅よりも前記くびれより下方の最大幅の方が大きく形成され；
前記くびれ部は、正面及び背面に鉛直方向に長い帯状に形成された略平らな平面帯と、前記平面帯の両側面側に形成された脇帯であって前記平面帯との間に鉛直方向に連なる角が形成された脇帯とを有し、前記平面帯及び前記脇帯の両方を有する部分の水平断面が全体的に六角形に形成され、前記鉛直方向に連なる角が前記全体的に六角形の角に重なるように構成され；
前記平面帯は前記口頸部の側が前記平面帯の外側よりも窪んで形成され、両方の前記脇帯は側面側及び前記口頸部の側が前記脇帯の外側よりも窪んで形成され、前記各窪みは一連に形成され；
前記くびれ部の前記正面と前記背面とが接近するように変形させたときに弾性変形をするように構成された；
容器。
【請求項２】
前記開口が、前記容器と一体に形成された袋部で封止されて構成された；
請求項１に記載の容器。
【請求項３】
前記開口を覆うように、嵌着又は螺着により、蓋又は中栓が取り付けられて構成された；
請求項１に記載の容器。
【発明の詳細な説明】
【技術分野】
【０００１】
本発明は容器に関し、特に取り扱いやすい容器に関する。
【背景技術】
【０００２】
液体（粘稠質のものも含む）の内容物が入れられる容器には、水平面に載置されたときに、水平断面が略楕円形で、正面視において鉛直方向に長く底面から鉛直上方に向かって一旦徐々に幅が大きくなった後にすぼまった形状のものや（例えば、特許文献１参照。）、図８に示すような水平断面が略正六角形の下部９１の上に周方向に形成された小さな溝９２を挟んで円筒状の上部９３が形成された鉛直方向に長い形状のものが広く知られている。
【特許文献１】特開２００２−１７３１２３号公報（図１、図２等）
【発明の開示】
【発明が解決しようとする課題】
【０００３】
上述の容器に入れられる内容物が食品である場合には、冷蔵庫内で保存される場合が多い。この内容物入り容器が冷蔵庫から取り出されて湿気を有する外気に触れると容器の表面が結露することがある。結露することで容器の表面は滑りやすくなるため、上述のような形状の容器では手の平から滑り落ちる場合があった。
【０００４】
本発明は上述の課題に鑑み、取り扱いやすい容器を提供することを目的とする。
【課題を解決するための手段】
【０００５】
上記目的を達成するために、本発明の第１の態様に係る容器は、例えば図１に示すように、水平面ＨＰに載置されたときに上端面に開口１８ｈが形成される容器１０であって；水平面ＨＰに安定的に接する底面部１１と、底面部１１に連接して鉛直方向に伸びた筒状部１２とを有する座部１３であって、筒状部１２の水平断面（例えば図３（ｂ）参照）における正面側ＦＳの辺１２ｆｓとこれに対向する辺１２ｂｓとが他の４つの辺１２ｒｆ、１２ｒｂ、１２ｕｆ、１２ｕｂよりも長い略六角形に形成された座部１３と；座部１３に連接して鉛直上方に伸びたくびれ部１５であって、正面視においてくびれ１６が形成され、側面視（例えば図２参照）においてくびれが形成されていないくびれ部１５と；くびれ部１５に連接して鉛直上方に伸びた口頸部１９であって、水平断面（例えば図５参照）がくびれ部１５から離れるに連れて楕円形から円形に収束する口頸部１９とを備え；正面視において、くびれ１６より上方の最大幅ＷＨよりもくびれ１６より下方の最大幅ＷＬの方が大きく形成され；くびれ部１５は、正面及び背面に形成された略平らな平面帯１５ｐｆ（１５ｐｂ）と、平面帯１５ｐｆ（１５ｐｂ）の両側面側ＲＳ、ＵＳに形成された脇帯１５ｔｆ（１５ｔｂ）であって平面帯１５ｐｆ（１５ｐｂ）との間に鉛直方向に連なる角１５ｃが形成された脇帯１５ｔｆ（１５ｔｂ）とを有し、平面帯１５ｐｆ（１５ｐｂ）及び脇帯１５ｔｆ（１５ｔｂ）の両方を有する部分の水平断面（例えば図４（ｂ）参照）が全体的に六角形に形成され、鉛直方向に連なる角１５ｃが全体的に六角形（例えば図４（ｂ）参照）の角１５ｃに重なるように構成され；平面帯１５ｐｆ（１５ｐｂ）は口頸部１９の側が平面帯１５ｐｆ（１５ｐｂ）の外側よりも窪んで形成され、両方の脇帯１５ｔｆ（１５ｔｂ）は側面側ＲＳ、ＵＳ及び口頸部１９の側が脇帯１５ｔｆ（１５ｔｂ）の外側よりも窪んで形成され、各窪み１５ｄは一連に形成されている。ここで「開口が形成される」とは、容器に既に開口が形成されている場合のほか、将来開口が形成されることが予定されていることをも含む概念である。また「安定的に接する」とは、典型的には、容器を自立させることができるように接することをいう。また「平面帯の外側」とは、平面帯を含まない平面帯に隣接する部分であり、「脇帯の外側」とは、脇帯を含まない脇帯に隣接する部分である。
【０００６】
このように構成すると、くびれ部が手の平にフィットして容器を把持しやすいと共に、くびれよりも底面部側の最大幅が大きいので容器を把持して逆さにしても落としにくく、また、くびれ部に平面帯が形成されているために曲面に形成されているよりも容器を把持したときの手との接触面積を増加させることができるので、取り扱いやすい容器となる。また、座部の水平断面が略六角形に形成されているので座部から平面帯へのつながりがスムーズになると共に、平面帯及び脇帯に窪みが形成されているので水平断面が楕円形に形成された口頸部と平面帯及び脇帯とを区別してそれぞれの役割を効果的に発揮させることができる。なお、口頸部のくびれ部に近い水平断面が楕円形に形成されているために内容物の充填容量の減少を抑制することができる。
【０００７】
また、本発明の第２の態様に係る容器は、例えば図１に示すように、上記本発明の第１の態様に係る容器１０において、くびれ部１５の正面１５ｐｆと背面１５ｐｂとが接近するように変形させたときに弾性変形をするように構成されている。
【０００８】
このように構成すると、通常の使用態様において、把持しやすい原形を維持することができる。また、くびれ部に平面帯が形成されていることと相俟って、内容物を開口から出すための押圧力を軽減することができる。
【０００９】
また、本発明の第３の態様に係る容器は、例えば図７（ａ）に示すように、上記本発明の第１の態様又は第２の態様に係る容器において、開口１８ｈが、容器１０と一体に形成された袋部２１で封止されて構成されている。
【００１０】
このように構成すると、容器内が外気にさらされることを、内容物が充填される直前まで回避することが可能となり、容器内を衛生的に保つことが可能となる。
【００１１】
また、本発明の第４の態様に係る容器は、例えば図７（ｂ）に示すように、上記本発明の第１の態様又は第２の態様に係る容器において、開口１８ｈを覆うように、嵌着又は螺着により、蓋２２又は中栓が取り付けられて構成されている。
【００１２】
このように構成すると、蓋又は中栓を容器から取り外しやすく、内容物を充填しやすい容器となる。
【発明の効果】
【００１３】
本発明によれば、くびれ部が手の平にフィットして容器を把持しやすいと共に、くびれよりも底面部側の最大幅が大きいので容器を把持して逆さにしても落としにくく、また、くびれ部に平面帯が形成されているために曲面に形成されているよりも容器を把持したときの手との接触面積を増加させることができる。それゆえ、取り扱いやすい容器となる。
【発明を実施するための最良の形態】
【００１４】
以下、図面を参照して本発明の実施の形態について説明する。なお、各図において互いに同一又は相当する部材には同一あるいは類似の符号を付し、重複した説明は省略する。
【００１５】
まず図１及び図２を参照して、本発明の実施の形態に係る容器１０を説明する。図１は容器１０の正面図、図２は容器１０の右側面図である。容器１０は、背面視において正面視と同様に現れ、左側面視において右側面視と同様に現れる。つまり、背面の輪郭は正面の輪郭と同様であり、左側面の輪郭は右側面の輪郭と同様である。図１及び図２に示す容器１０は、水平面ＨＰに載置した状態を現しており、以下の説明においても特に断りがない場合は、容器１０を水平面ＨＰに載置した状態を前提とする。容器１０は、本実施の形態では、種類の異なる合成樹脂を多層積層した積層体で形成されている。以下に主として容器１０の形状を説明するが、説明の便宜上、一体に形成されている容器１０を、水平面ＨＰに接する底面部１１を有する座部１３と、座部１３の直上に位置するくびれ部１５と、くびれ部１５の直上に位置する口頸部１９とに大まかに区別して説明する。
【００１６】
図３（ａ）に示す底面図、及び図３（ｂ）に示す座部１３に係る図１におけるIIIＢ−IIIＢ断面図を、図１及び図２と併せて参照して、座部１３について説明する。座部１３は、底面部１１と、底面部１１から鉛直上方に伸びる筒状部１２とを有している。底面部１１は、略六角形に形成されている。ここでいう「略六角形」は、辺が直線でない場合や隣り合う辺の間に角が現れていなくとも全体を概観すると六角形と認識できる形である。底面部１１を形成する略六角形は、正面側（ＦＳ）の辺１１ｆｓと、これと平行に対向する背面側（ＢＳ）の辺１１ｂｓとが同じ長さに形成され、これら２つの辺１１ｆｓ、１１ｂｓを左側面側（ＵＳ）でつなぐ２つの辺１１ｕｆ、１１ｕｂと右側面側（ＲＳ）でつなぐ２つの辺１１ｒｆ、１１ｒｂとの合計４つは、それぞれ同じ長さで辺１１ｆｓよりも短く形成されている。
【００１７】
底面部１１は、水平面ＨＰに接触する部分を含む周底部１１ｅが略六角形の外周に沿って幅を持って形成され、周底部１１ｅの内側には容器１０の内側に凹んだ凹部１１ｄが形成されている。周底部１１ｅの幅は、例えば六角形の短軸の長さ（換言すれば互いに平行な辺１１ｆｓと辺１１ｂｓとの最短距離）の１／６〜１／４程度に形成されているとよい。このような幅を持つ周底部１１ｅは、略六角形の底面部１１の外周に沿って環状につながっている。また、凹部１１ｄが形成されていることで、底面部１１の中央部が何らかの要因で容器１０の外側に膨らむことに起因する安定性の欠如を防ぐことができ、ひいては容器１０を水平面ＨＰに載置したときの安定性を増すことができる。底面部１１は周底部１１ｅの外縁全体から筒状部１２に連接しており、周底部１１ｅと筒状部１２とが連接する部分（水平に広がる周底部１１ｅと鉛直方向に伸びる筒状部１２とがつながる部分）は丸みを帯びている。したがって、周底部１１ｅの外縁の丸みを帯びた部分は水平面ＨＰに接触せず、換言すると水平面ＨＰに接触するのは周底部１１ｅの一部となっている。
【００１８】
筒状部１２は、上述のように、周底部１１ｅの外縁全体に連接しており、周底部１１ｅから鉛直上方に伸びている。筒状部１２は、水平断面が略六角形に形成されている。ここでいう「略六角形」も、全体を概観すると六角形と認識できる形であり、辺が直線でない場合や隣り合う辺の間に角が現れずに丸みを帯びている場合であっても概観すると六角形と認識できるものを含む概念である。筒状部１２の水平断面に現れる略六角形は、正面側（ＦＳ）の正面辺１２ｆｓと、これと平行に対向する背面側（ＢＳ）の背面辺１２ｂｓとが同じ長さに形成されている。正面辺１２ｆｓと背面辺１２ｂｓとを左側面側（ＵＳ）でつなぐ２つの辺１２ｕｆ、１２ｕｂ、及び右側面側（ＲＳ）でつなぐ２つの辺１２ｒｆ、１２ｒｂの合計４つは、それぞれ同じ長さで正面辺１２ｆｓ及び背面辺１２ｂｓよりも短く形成されている。筒状部１２は、正面視において略同じ幅で上方に伸びており、側面視においても幅の変化がないように形成されている。筒状部１２の鉛直方向の長さは、水平断面の略六角形の短軸の長さの１／３〜３／３程度に形成されているとよい。
【００１９】
次に図４（ａ）に示すくびれ部１５の座部１３との連接部分に係る図１におけるIVＡ−IVＡ断面図、及び図４（ｂ）に示すくびれ部１５に係る図１におけるIVＢ−IVＢ断面図を、図１及び図２と併せて参照して、くびれ部１５について説明する。くびれ部１５は、筒状部１２につながっており、筒状部１２から鉛直上方に伸びている。くびれ部１５が筒状部１２とつながっている部分は、その部分の水平断面における全周にわたってつながっている。くびれ部１５は、正面視（図１参照）における幅が、下方から上方に行くに連れて徐々に小さくなった後に徐々に大きくなるように形成されている。換言すると、くびれ部１５の正面視における輪郭にはくびれ１６が形成されている。他方くびれ部１５は、側面視（図２参照）における輪郭にはくびれが形成されていない。側面視における輪郭にくびれが形成されていないことにより、充填可能な内容物の容量が減少することを抑制することができる。くびれ１６は、一方の側面側に注目したときに、くびれ部１５の谷の底と山の頂部との水平距離が２ｍｍ〜１２ｍｍ程度とすると、把持する際に親指の腹（付け根）の部分がくびれ１６にフィットするため好適である。くびれ部１５の谷の底と山の頂部との水平距離は、５ｍｍや８ｍｍとしてもよい。
【００２０】
くびれ部１５は、水平断面が概ね六角形に形成されている（図４参照）。くびれ部１５における水平断面に現れる概ね六角形は、正面側（ＦＳ）の正面辺１５ｆｓと、これと平行に対向する背面側（ＢＳ）の背面辺１５ｂｓとが同じ長さに形成されている。正面辺１５ｆｓ及び背面辺１５ｂｓは、左側面側（ＵＳ）では２つの辺１５ｕｆ、１５ｕｂで接続されており、右側面側（ＲＳ）では２つの辺１５ｒｆ、１５ｒｂで接続されている。正面辺１５ｆｓと背面辺１５ｂｓとを接続する合計４つの辺１５ｕｆ、１５ｕｂ、１５ｒｆ、１５ｒｂは、それぞれ同じ長さに形成されている。くびれ部１５の座部１３との連接部分の水平断面（図４（ａ）参照）は、略六角形に形成されており、この部分の略六角形の正面辺１５ｆｓ及び背面辺１５ｂｓは、その他の合計４つの辺１５ｕｆ、１５ｕｂ、１５ｒｆ、１５ｒｂのそれぞれよりも長く形成されている。
【００２１】
くびれ部１５は、正面辺１５ｆｓを鉛直方向に連ねて形成される面の少なくとも一部に、略平らな面である平面帯としての正面平面帯１５ｐｆが形成されている。正面平面帯１５ｐｆは、鉛直方向に長い帯状に形成されている。帯状に形成された正面平面帯１５ｐｆの両脇には、それぞれ脇帯としての正面脇帯１５ｔｆが角１５ｃを介して接続されている。角１５ｃは、鉛直方向に連なっている。角１５ｃは、正面辺１５ｆｓと辺１５ｒｆとが出会う角、及び正面辺１５ｆｓと辺１５ｕｆとが出会う角に相当する。角１５ｃは丸みを帯びていてもよい。正面平面帯１５ｐｆ及び正面脇帯１５ｔｆを合わせた領域は、その合わせた領域の両側及び上部が窪み１５ｄを介してその周囲と区画されている。窪み１５ｄの概観は、本実施の形態では馬蹄形に形成されている。本実施の形態における窪み１５ｄは、正面平面帯１５ｐｆの部分では上部（口頸部１９側）に、正面脇帯１５ｔｆの部分では正面平面帯１５ｐｆとは反対側の側面及び上部（口頸部１９側）に、一連に形成されている。一連の窪み１５ｄを境界として、正面平面帯１５ｐｆ及び正面脇帯１５ｔｆを合わせた領域が、その周囲（外側）よりも容器１０の内側に段差をもって窪んでいる。正面平面帯１５ｐｆ及び正面脇帯１５ｔｆを合わせた領域の下部（座部１３側）は、窪みが形成されておらず滑らかにその周囲（外側）とつながっている。なお、背面視においても、正面視において相当する各部位と同様の要領で、平面帯としての背面平面帯１５ｐｂ、脇帯としての背面脇帯１５ｔｂ、角１５ｃ、窪み１５ｄがそれぞれ形成されている。
【００２２】
くびれ部１５の、正面平面帯１５ｐｆ及び正面脇帯１５ｔｆの両方を有する部分の水平断面（図４（ｂ）参照）は、全体的に六角形に形成されている。ここでいう「全体的に六角形」は、全体を概観すると六角形と認識できる形であり、辺が直線でない場合や一辺の途中に凹凸がある場合、隣り合う辺の間に角が現れずに丸みを帯びている場合であっても概観すると六角形と認識できるものを含む概念である。「全体的に六角形」は、一辺の途中に凹凸がある場合を含んでいる分、「略六角形」よりも広い概念である。また、上述の「概ね六角形」は、「略六角形」及び「全体的に六角形」を包括して呼称したものである。なお、正面平面帯１５ｐｆ及び正面脇帯１５ｔｆの両方を有する部分の水平断面は、背面平面帯１５ｐｂ及び背面脇帯１５ｔｂの両方をも有することとなる。正面平面帯１５ｐｆ及び正面脇帯１５ｔｆの両方を有する部分の水平断面に現れる全体的に六角形は、正面辺１５ｆｓが正面平面帯１５ｐｆ上に、背面辺１５ｂｓが背面平面帯１５ｐｂ上に、それぞれ位置するようになっている。正面辺１５ｆｓは、左側面側（ＵＳ）が角１５ｃを介して辺１５ｕｆと接続され、右側面側（ＲＳ）が角１５ｃを介して辺１５ｒｆと接続されている。背面辺１５ｂｓは、左側面側（ＵＳ）が角１５ｃを介して辺１５ｕｂと接続され、右側面側（ＲＳ）が角１５ｃを介して辺１５ｒｂと接続されている。つまり、角１５ｃは、正面平面帯１５ｐｆ及び正面脇帯１５ｔｆの両方を有する部分の水平断面に現れる「全体的に六角形」の角に相当し、正面平面帯１５ｐｆと正面脇帯１５ｔｆとの間で鉛直方向に連なる角にも相当する。背面も同様である。辺１５ｕｆ及び辺１５ｒｆは、正面辺１５ｆｓ側の一部が正面脇帯１５ｔｆを兼ねている。正面平面帯１５ｐｆ及び正面脇帯１５ｔｆの両方を有する部分の水平断面では、辺１５ｕｆ及び辺１５ｒｆのそれぞれの途中に窪み１５ｄが存在するが、「全体的に六角形」においては六角形の一辺とみなすこととしている。他方、背面側（ＢＳ）においては、背面辺１５ｂｓの両側でそれぞれつながる辺１５ｕｂ及び辺１５ｒｂは、背面辺１５ｂｓ側の一部が背面脇帯１５ｔｂを兼ねている。辺１５ｕｂ及び辺１５ｒｂのそれぞれの途中にも窪み１５ｄが存在するが、「全体的に六角形」における六角形の一辺とみなすこととしている。本実施の形態では、くびれ１６付近の水平断面における全体的に六角形の各辺が、略等しい長さに形成されている。
【００２３】
次に図５（ａ）に示す口頸部１９に係る図１におけるＶＡ−ＶＡ断面図、及び図５（ｂ）に示す口頸部１９に係る図１におけるＶＢ−ＶＢ断面図を、図１及び図２と併せて参照して、口頸部１９について説明する。口頸部１９は、くびれ部１５に連接してくびれ部１５から鉛直上方に伸びる口頸胴部１７と、くびれ部１５に連接する側とは反対側で口頸胴部１７に接続された口頸螺部１８とを有している。口頸胴部１７は、下部の水平断面が図５（ａ）に示されるように楕円形に形成されており、上部の水平断面が図５（ｂ）に示されるように円形に形成されている。つまり、口頸胴部１７は、くびれ部１５との接続部分付近では楕円形に形成されており、上方に行くに連れて（くびれ部１５から離れるに連れて）円形に収束するように構成されている。ここで、「楕円形から円形に収束する」とは、楕円形から円形への変化が段差なく滑らかに移り変わっていくことを意味している。段差なく滑らかに移り変われば、楕円形から円形へ変化する割合は一定でも一定でなくてもよく、図１に示すようにくびれ部１５との接続部分から上方に行くに連れて楕円形から円形に変化する割合が小さくなるように形成されていてもよい。口頸胴部１７の高さ方向に任意の位置における水平断面に現れる円形又は楕円形の中心（楕円形の場合は楕円の長軸と短軸との交点を中心とする）を連ねると、鉛直に伸びるように構成されている。
【００２４】
口頸螺部１８は、円筒状に形成されており、この円筒の仮想軸が口頸胴部１７の水平断面に現れる円形又は楕円形の中心を貫く仮想軸と一致するように設けられている。口頸螺部１８は、外周面に螺旋状の突起１８ｐが形成されている。口頸螺部１８の上面（口頸螺部１８の口頸胴部１７側とは反対の端面）には、内容物（不図示）の出入りが可能な開口１８ｈが形成されている。
【００２５】
これまで各部位ごとに説明してきた容器１０を全体的にみると、正面視において、くびれ１６より上方の最大幅である上方最大幅ＷＨよりも、くびれ１６より下方の最大幅である下方最大幅ＷＬの方が大きくなるように形成されている。内容物が充填されている容器１０を把持する場合において、容器１０を逆さにした状態（開口１８ｈが下向きになった状態（図６参照））で手から滑り落下したときの方が、開口１８ｈが上向きになった状態で落下したときよりも、一般に被害が大きい（内容物の意図しない吐出量が多い）。上方最大幅ＷＨよりも下方最大幅ＷＬを大きくすることにより、くびれ部１５を把持して容器１０を逆さにした状態で手から落下することを抑制できる。下方最大幅ＷＬは、上方最大幅ＷＨの例えば１．０５倍〜２．０倍程度に形成されていると手から落下することを抑制でき、特には１．０５倍〜１．５倍程度が好適である。また、容器１０を把持して逆向きにしたときの落下防止の観点から下限を１．１倍程度、美感の観点から上限を１．３倍程度とするとよく、１．１５倍あるいは１．２倍程度として落下防止と美感との均衡を保つようにしてもよい。
【００２６】
容器１０は、窪み１５ｄの最上部の高さの水平面をくびれ部１５と口頸部１９との境界と規定し（窪み１５ｄはくびれ部１５に属することとしている）、窪み１５ｄの最下部の高さよりもやや下側（例えば２ｍｍ〜１０ｍｍ下側）の高さの水平面をくびれ部１５と座部１３との境界と規定することとしている。本実施の形態では、下方最大幅ＷＬがくびれ部１５と座部１３との境界に現れている。また、本実施の形態では、座部１３、くびれ部１５、口頸部１９の高さの比率が、４：１５：１４に形成されている（例えば内容物の充填容量が３００ｃｃの場合は、座部１３の高さが２０ｍｍ、くびれ部１５の高さが７５ｍｍ、口頸部１９の高さが７０ｍｍに形成される）。本実施の形態の容器１０は、ＢＭＩに基づく日本人の標準体型とされる成人（ＢＭＩ値２０〜２５）が、人差指から小指までを略接触させた部分と親指とで両側面を、人差指及び中指と親指とで両くびれ１６を挟むように把持したときに薬指及び小指が上方最大幅ＷＨ（容器１０を逆さにして把持した場合）又は下方最大幅ＷＨ（開口１８を上向きにして容易１０を把持した場合）に来るような大きさに形成されている。
【００２７】
以上で説明したような容器１０の形状とすることで、表面が濡れていて滑りやすい場合であっても落としにくく、取り扱いやすいものとなる。具体的に例示すると、くびれ１６が形成されているので把持したときに手の平になじみやすく、視力の弱い者が視覚に頼らずに触覚を頼りにして適切な位置で把持することができる。また、正面視において上方最大幅ＷＨよりも下方最大幅ＷＬが大きく形成されているので、容器１０を逆さにして把持した状態（図６参照）で滑ったときに、下方最大幅ＷＬが手に引っかかりやすく、より容器１０を落としにくくなる。また、下方最大幅ＷＬが大きく形成されていることにより、容器１０を水平面ＨＰに載置したときの安定感が増すこととなる。さらに、容器１０の正面及び背面に平面帯１５ｐｆ、１５ｐｂが形成されているので、容器１０を把持したときの手との接触面積を増加させて手と容器１０との摩擦力を増加させることができ落としにくくなると共に、内容物を出すために両平面帯１５ｐｆ、１５ｐｂを押圧する際の押圧力が外側に凸に形成されている場合よりも小さくて済む。また、平面帯１５ｐｆ、１５ｐｂが形成されていると、内容物を表示する表示ラベルを正面平面帯１５ｐｆ及び／又は背面平面帯１５ｐｂに貼付することで、斜め方向から見たときも表示ラベルを視認しやすくなる。
【００２８】
なお、口頸部１９のくびれ部１５に近い部分の水平断面（図５（ａ）参照）が楕円形にに形成されているので、内容物の充填容量の減少を抑制することができる。また、座部１３の筒状部１２の水平断面が略六角形に形成されているので、くびれ部１５の正面平面帯１５ｐｆ及び背面平面帯１５ｐｂへのつながりをスムーズにできる。また、正面平面帯１５ｐｆ及び正面脇帯１５ｔｆを合わせた領域の両側及び上部に窪み１５ｄが形成されているので、水平断面が楕円形に形成された口頸胴部１７の下部と両平面帯１５ｐｆ、１５ｐｂとを区別してそれぞれの役割を効果的に発揮させることができる。
【００２９】
容器１０は、合成樹脂が複数層積層されて構成されている。容器１０は、典型的には多層ブロー成型により形成される。多層ブロー成型としては、特にはダイレクトブロー成型を好適に用いることができる。多層ブロー成型は、その金型から脱型したときに上述したような外形の容器１０となるような型の中に、筒状の形状で溶融状態のオレフィン系樹脂、ガスバリア性樹脂、接着性樹脂等の合成樹脂から選択した複数（同一種類を複数選択してもよい）を適切な順序で積層した上で型に押し込んだところへ空気を送り込み、最後に脱型することにより行われる。オレフィン系樹脂としては、特にはエチレン系樹脂、プロピレン系樹脂を好適に用いることができる。ガスバリア性樹脂としては、特にはエチレン−酢酸ビニル共重合体の部分鹸化物を好適に用いることができる。接着性樹脂としては、特にはエチレン−酢酸ビニル共重合体もしくはエチレン−アクリル酸エチル共重合体又はそのマレイン酸グラフト化物を好適に用いることができる。なお、最内面に滑剤を塗り込んでおくと、内容物を吐出しやすくなり好適である。滑剤としては、脂肪酸エステルを好適に用いることができる。
【００３０】
容器１０は、くびれ部１５の正面平面帯１５ｐｆと背面平面帯１５ｐｂとを両者が近づくように押して変形させたときに弾性変形をするように、容器１０を形成する合成樹脂の積層体の厚さや材料の選択、積層順等を決定するとよい。ここでいう「弾性変形」は、押圧力を加えられて変形した容器１０が、押圧力を取り除くことにより原形に戻ることを意味する。このように構成されていることで、容器１０に充填した内容物を開口１８ｈから吐出するために正面平面帯１５ｐｆ及び背面平面帯１５ｐｂを押圧しても、押圧力を解除することで原形に戻るので、内容物の残量にかかわらず把持しやすい原形を維持することができる。本実施の形態では、積層体の厚さは、容器１０のくびれ部１５の積層体の厚さが概ね１００μｍ〜１０００μｍに形成されている。
【００３１】
以上で説明した図１等に示される容器１０の形状は、典型的には内容物が充填された使用態様における形状である。製造過程においては、以下のような形状であってもよい。
図７は、変形例に係る容器の部分正面図であり、（ａ）は第１の変形例に係る容器１０Ａの図、（ｂ）は第２の変形例に係る容器１０Ｂの図である。容器１０Ａは、将来開口部１８ｈとなるべき部分の上部に袋部２１が形成されている。袋部２１は、ブロー成型の過程で形成されるものであり（したがって、典型的には容器１０と同材質で形成される）、ブロー成型時は内部に空気を注入する針状の吹き込み口が差し込まれる部分である。袋部２１は、容器１０と一体に形成されるため、ブロー成型時の吹き込み口が外されると、容器１０Ａ内が略密封された状態となる。容器１０Ａは、内部が外気にさらされることを、内容物が充填される直前まで回避することが可能となるため、容器の製造場所と内容物の充填場所とが異なる場合の適用に好適であり、特に加熱殺菌が困難な冷やした状態で容器に充填される内容物のためのものとして好適である。容器１０Ａは、内容物が充填されるときに袋部２１が切り落とされ、容器１０側の切断面が開口１８ｈとなる。
【００３２】
他方、容器１０Ｂは、容器１０と別体の蓋２２が口頸螺部１８に螺着又は嵌着されている。蓋２２は、典型的には、硬質の合成樹脂で射出成型により形成される。容器１０Ｂは、蓋２２が取り付けられているので容器１０内が汚れるのを防ぐことができ、また、蓋２２が螺着又は嵌着されているので容器１０からはずしやすく、内容物を充填する際の手間を低減することができる。なお、図示は省略するが、容器１０（図１参照）の開口１８ｈに、内容物を吐出するための吐出口（開口１８ｈよりも小さい）が形成された中栓を取り付けてもよい。
【００３３】
以上の説明では、くびれ１６付近の水平断面における全体的に六角形の各辺が略等しい長さに形成されているとした。しかしながら、両平面帯１５ｐｆ、１５ｐｂの幅を確保して、両平面帯１５ｐｆ、１５ｐｂを把持したときの手との接触面積を増加させると共に内容物を出すために両平面帯１５ｐｆ、１５ｐｂを押圧する際の押圧力を低減する観点から正面辺１５ｆｓ及び背面辺１５ｂｓがその他の合計４つの辺１５ｕｆ、１５ｕｂ、１５ｒｆ、１５ｒｂのそれぞれよりも長く形成されるようにしてもよい。逆に、容器１０の正面平面帯１５ｐｆ及び背面平面帯１５ｐｂを押圧して、弾性変形させたときの原形に戻る力（復元力）を高める観点から、また正面辺１５ｆｓ及び背面辺１５ｂｓにおける指掛かりをよくする観点から、正面辺１５ｆｓ及び背面辺１５ｂｓがその他の合計４つの辺１５ｕｆ、１５ｕｂ、１５ｒｆ、１５ｒｂのそれぞれよりも短く形成されるようにしてもよい。
【００３４】
以上の説明では、上方最大幅ＷＨがくびれ部１５内に現れるとしたが、くびれ部１５と口頸部１９との境界に現れてもよく、口頸部１９に現れてもよい。また、下方最大幅ＷＬが、座部１３とくびれ部１５との境界に現れるとしたが、くびれ部１５内に現れてもよく、座部１３に現れてもよい。
【図面の簡単な説明】
【００３５】
【図１】本発明の実施の形態に係る容器の正面図である。
【図２】本発明の実施の形態に係る容器の右側面図である。
【図３】本発明の実施の形態に係る容器の座部の形状を説明する図である。（ａ）は底面図、（ｂ）は図１におけるIIIＢ−IIIＢ断面図である。
【図４】本発明の実施の形態に係る容器のくびれ部の形状を説明する図である。（ａ）は図１におけるIVＡ−IVＡ断面図、（ｂ）は図１におけるIVＢ−IVＢ断面図である。
【図５】本発明の実施の形態に係る容器の口頸部の形状を説明する図である。（ａ）は図１におけるＶＡ−ＶＡ断面図、（ｂ）は図１におけるＶＢ−ＶＢ断面図である。
【図６】本発明の実施の形態に係る容器の使用状態を示す図である。
【図７】本発明の実施の形態に係る容器の口頸部の変形例を示す部分正面図である。（ａ）は袋部を有するものの図、（ｂ）は蓋が取り付けられたものの図である。
【図８】従来の容器の正面図である。
【符号の説明】
【００３６】
１０  容器
１１  底面部
１２  筒状部
１３  座部
１２ｆｓ  正面側の辺
１２ｂｓ  背面側の辺
１５  くびれ部
１５ｆｓ  正面辺
１５ｂｓ  背面辺
１５ｐｆ  正面平面帯
１５ｐｂ  背面平面帯
１５ｔｆ  正面脇帯
１５ｔｂ  背面脇帯
１５ｄ  窪み
１６  くびれ
１８ｈ  開口
１９  口頸部
２１  袋部
２２  蓋
ＨＰ  水平面
ＦＳ  正面側
ＢＳ  背面側
ＲＳ  右側面側
ＵＳ  左側面側
ＷＨ  上方最大幅
ＷＬ  下方最大幅
【図１】
0005171234.tif 000002
【図２】
0005171234.tif 000003
【図３】
0005171234.tif 000004
【図４】
0005171234.tif 000005
【図５】
0005171234.tif 000006
【図６】
0005171234.tif 000007
【図７】
0005171234.tif 000008
【図８】
0005171234.tif 000009